(57)【特許請求の範囲】
【請求項１】
折り曲げ加工性を備える線材を折り曲げて形成され、養生ネット等の養生用のシート部材をパイプ部材等からなる支柱に取り付けて配設する際に使用する養生シート取付金具であって、
前記線材をその両端部分が互いに交差するまで環状に湾曲させることにより得られる支柱装着部と、該支柱装着部の外側において前記両端部分の交差部よりも先端側に位置する部分を各々折り曲げることにより得られる一対の対向配置されたフック部とからなり、該一対のフック部は、前記交差部よりも先端側に位置する部分の前記線材をＵ字形状に折り返すことにより、該Ｕ字形状の先端開放部が互いに対向するように設けられており、各フック部には、支柱を挟んで隣接する養生用のシート部材が各々係止されることを特徴する養生シート取付金具。
【請求項２】
前記両端部分が前記交差部において立体交差状に離間するように折り曲げ加工されていることを特徴とする請求項１に記載の養生シート取付金具。
【請求項３】
前記交差部において交差する前記両端部分の一方に、前記支柱装着部の外側に突出する係止用突部が形成され、該係止用突部に前記両端部分の他方に設けられたフック部の基端部分を係止することにより、前記離間した両端部分が係着されることを特徴とする請求項２に記載の養生シート取付金具。
【請求項４】
前記支柱装着部には、装着される支柱の外周面よりも外側に突出する把持用突部が前記交差部の反対側に形成されることを特徴とする請求項１〜３のいずれかに記載の養生シート取付金具。
【発明の詳細な説明】
【０００１】
【発明の属する技術分野】
本発明は、折り曲げ加工性を備える線材を折り曲げて形成され、養生ネット等の養生用のシート部材をパイプ部材等からなる支柱に取り付けて配設する際に使用する養生シート取付金具に関する。
【０００２】
【従来の技術及び発明が解決しようとする課題】
建築現場において各種の建築物を構築する際には、当該建築物の周囲を覆って養生ネット等の養生用のシート部材（養生シート）を配設し、工具や資材等の落下防止や飛散物による公害の発生の防止などが図られている。養生シートを配設するには、例えば図５に示すように、建築物の周囲に単管パイプ等からなる支柱５０を縦横に取り付け、この支柱５０に周縁部を支持させるようにして矩形形状の養生ネット５１を各々拡げた状態で設置する。
【０００３】
養生用ネット５１を支柱５０に固定するには、従来より、養生用ネット５１の周縁部に設けられた鳩目と呼ばれる緊結用の穴に緊結用の紐を通し、各種の縛りかたによって支柱５０に結びつける方法が採用されていた。
【０００４】
しかしながら、従来の緊結用の紐を用いた固定方法によれば、結びつけた紐が解けてしまったり、強風時に擦り切れてしまったりすることにより、養生シートのメンテナンスに多くの手間を要していた。また、結びつけた紐を取り外すのに手間がかかるため、養生シートを束ねる場合等、養生シートを移動する作業に時間がかかると共に、取り外した紐を紛失しやすかった。さらに、緊結用の紐は、消耗が激しく、一現場持ったとしても次の現場に転用することが困難であるため、リサイクルによる資源保護を図ることが困難だった。
【０００５】
本発明は、このような従来の課題に着目してなされたもので、多くの手間を要することなく養生用のシート部材の取り付けや取り外しを容易に行うことができると共に、養生用のシート部材を支柱に強固に取り付けることができ、またメンテナンスも容易で何回でも使用することのできる養生シート取付金具を提供することを目的とする。
【０００６】
【課題を解決するための手段】
本発明は、折り曲げ加工性を備える線材を折り曲げて形成され、養生ネット等の養生用のシート部材をパイプ部材等からなる支柱に取り付けて配設する際に使用する養生シート取付金具であって、前記線材をその両端部分が互いに交差するまで環状に湾曲させることにより得られる支柱装着部と、該支柱装着部の外側において前記両端部分の交差部よりも先端側に位置する部分を各々折り曲げることにより得られる一対の対向配置されたフック部とからなり、該一対のフック部は、前記交差部よりも先端側に位置する部分の前記線材をＵ字形状に折り返すことにより、該Ｕ字形状の先端開放部が互いに対向するように設けられており、各フック部には、支柱を挟んで隣接する養生用のシート部材が各々係止されることを特徴する養生シート取付金具を提供することにより、上記目的を達成したものである（請求項１記載の発明）。
【０００７】
本発明の養生シート取付金具は、前記両端部分が前記交差部において立体交差状に離間するように折り曲げられていることが好ましい（請求項２記載の発明）。
【０００８】
また、本発明の養生シート取付金具は、前記交差部において交差する前記両端部分の一方に、前記支柱装着部の外側に突出する係止用突部が形成され、該係止用突部に前記両端部分の他方に設けられたフック部の基端部分を係止することにより、前記離間した両端部分を係着することが好ましい（請求項３記載の発明）。
【０００９】
さらに、本発明の養生シート取付金具は、前記支柱装着部には、装着される支柱の外周面よりも外側に突出する把持用突部を前記交差部の反対側に形成することが好ましい（請求項４記載の発明）。
【００１０】
ここで、折り曲げ加工性を備える線材は、加熱加工やプレス加工、ワイヤーホーミング加工等により塑性変形しつつ折り曲げられ、折り曲げられた後はその形状を強固に保持できる程度の剛性を備えるとともに、当該線材の延長方向と垂直な方向の荷重を受けることにより弾性変形可能な材質を有する線材であって、例えば金属製や合成樹脂製の線材を用いることができる。
【００１１】
【発明の実施の形態】
本発明の好ましい実施形態を添付図面を参照しつつ詳細に説明する。本実施形態の養生シート取付金具１０は、図５に示すように、建築現場において、建築物の周囲に足場５２を設置すべく組み立てた単管パイプを支柱５０として、建築物の周囲を覆って養生ネット（養生用のシート部材）５１を足場５２の外側に配設する際に、当該養生ネット５１の周縁部を支柱５０に支持させて固定するために用いられるものである。
【００１２】
すなわち、本実施形態の養生シート取付金具１０は、図１〜図４に示すように、折り曲げ加工性を備える線材１１を折り曲げて形成され、養生ネット５１を支柱５０に取り付けて配設する際に使用する取付金具であって、線材１１をその両端部分１３，１４が互いに交差するまで環状に湾曲させることにより得られる支柱装着部１２と、この支柱装着部１２の外側において両端部分１３，１４の交差部１５よりも先端側に位置する部分を各々折り曲げることにより得られる一対の対向配置されたフック部１６，１７とからなる。
【００１３】
また、本実施形態の養生シート取付金具１０によれば、線材１１の両端部分１３，１４が交差部１５において立体交差状に離間するように折り曲げ加工されている（図１（ｂ）参照）。さらに、本実施形態の養生シート取付金具１０によれば、交差部１５において交差する両端部分１３，１４の一方１３に、支柱装着部１２の外側に突出する係止用突部１８が形成され、この係止用突部１８に両端部分１３，１４の他方１４に設けられたフック部１７の基端部分１９を係止することにより（図２参照）、離間した両端部分１３，１４が係着されるようになっている。
【００１４】
さらにまた、本実施形態の養生シート取付金具１０によれば、支柱装着部１２には、装着される支柱５０の外周面よりも外側に突出する把持用突部２０が交差部１５の反対側に形成されている。
【００１５】
本実施形態に用いる線材１１は、径２ｍｍ程度の太さのばね用ステンレス鋼線等からなる金属製の線状部材であって、これの延長方向と垂直な方向の荷重を受けて容易に弾性変形すると共に、例えばワイヤーホーミング加工を施すことにより容易に塑性変形させて折り曲げ加工することができ、折り曲げ加工した後はその形状を保持できる相当の剛性を備え、当該養生シート取付金具１０に係止される養生ネット５１を強固に係止する。
【００１６】
支柱装着部１２は、線材１１を、その両端部分１３，１４が互いに交差するまで環状に湾曲させることにより、支柱５０を構成する外径４８．６ｍｍ程度の単管パイプの外周に沿った略円環形状を有すると共に、両端部分１３，１４の交差部１５と反対側に位置する部分を略三角形状に突出させることにより、装着される支柱５０の外周面よりも１５ｍｍ程度外側に突出する把持用突部２０が形成されている。把持用突部２０が設けられていることにより、取付金具１０を支柱５０に装着する際の操作性が向上する。
【００１７】
また、一対の対向配置されたフック部１６，１７は、線材１１の両端部分１３，１４の交差部１５よりも先端側に位置する部分を、支柱装着部１２とは離れる側にＵ字形状に折り返すことにより、そのＵ字形状の先端開放部が互いに対向するように設けられ、各フック部１６，１７には、支柱５０を挟んで隣接する養生ネット５１が各々係止される。
【００１８】
さらに、線材１１は、その両端部分１３，１４が、交差部１５において立体交差して２５〜３０ｍｍ程度離間するように折り曲げられていると共に、この離間距離を拡幅するようにしつつ弾性変形できるようになっており、この離間した部分を介して養生シート取付金具１０を支柱５０の外周面に押し込むことにより、当該養生シート取付金具１０をスムースに支柱５０に装着できるようになっている。また、この離間した交差部１５は、両端部分１３，１４の一方１３に設けられた係止用突部１８に他方１４に設けられたフック部１７の基端部分１９を係着して、取付金具１０をリング形状とすることができ、かかるリング形状を有する取付金具１０は、支柱５０の所定位置に容易に仮固定できるような構成を備えている。
【００１９】
本実施形態の養生シート取付金具１０を用いて、縦横に配設した支柱５０に養生ネット５１を取り付けるには、まず当該養生シート取付金具１０を、把持用突部２０を把持しつつ手に持ち、把持用突部２０と反対側に位置する交差部１５の離間部分を介して、取付金具１０を支柱５０の外周部分に押し込んで装着する。しかる後に、支柱５０に沿って上下或いは左右にスライド移動して養生用ネット５１の緊結用の穴５３が来る位置に位置合わせした後、フック部１７の基端部分１９を係止用突部１８に係着して支柱５０に仮固定する。
【００２０】
次に、このようにして支柱５０に装着した複数の取付金具１０の各一対のフック部１６，１７に、支柱５０を挟んで隣接配置される両側の養生ネット５１の周縁部に設けられた緊結用の穴５３を各々係止して行くことにより（図２，図３参照）、建築物の周囲を覆って、養生ネット５１が矩形形状に拡げられた状態でスムースかつ強固に取り付けられて行く。
【００２１】
一方、養生ネット５１の各緊結用の穴５３を、取付金具１０のフック部１６，１７から抜き出してゆくことにより、養生ネット５１の取り外し作業を容易かつ速やかに行なうことができると共に、各緊結用の穴５３をフック部１６，１７に係止したまま取付金具１０を支柱２０に沿ってスライド移動してゆくことにより、養生ネット５１を折り畳むこともできる。
【００２２】
すなわち、本実施形態の養生シート取付金具１０によれば、多くの手間を要することなく養生ネット５１の取り付けや取り外しを容易に行うことができると共に、養生ネット５１を支柱５０に強固に取り付けることができる。また、養生シート取付金具１０はばね用ステンレス鋼線等の金属製の線状部材を折り曲げ加工して形成され、フック部１６，１７に各緊結用の穴５３を係止して養生ネット５１は取り付けられるので、紐を用いた場合のように緊結状態が解けてしまったり、強風時に擦り切れてしまったりすることがなく、メンテナンスが容易になると共に、何回も繰り返して使用することができる。
【００２３】
さらに、本実施形態の養生シート取付金具１０によれば、交差部１５を挟んで対向配置された一対のフック部１６，１７に、隣接配置される両側の養生ネット５１の緊結用の穴５３が係止されているので、風の影響等によって養生ネット５１が両側に引っ張られると、一対のフック部１６，１７も両側に引っ張られて、支柱５０に支柱装着部１２がより強固にからみつくことにより、養生ネット５１をに所定の位置により確実に支持固定することが可能になる。
【００２４】
図４は、本発明の他の実施形態に係る養生シート取付金具４０を示すものである。この実施形態に係る養生シート取付金具４０によれば、線材４１の両端部分４２，４３は交差部４５において殆ど離間することなく交差するように折り曲げ加工されていると共に、一対の対向配置されたフック部４６，４７は、線材４１の両端部分４２，４３の交差部４５よりも先端側に位置する部分を、支柱装着部１２に近づく側にＵ字形状に折り返すことにより、そのＵ字形状の先端開口部が互いに対向するように設けられ、各フック部４６，４７に、支柱５０を挟んで隣接する養生ネット５１が各々係止されるようになっている。
【００２５】
この実施形態の養生シート取付金具４０によれば、これを支柱５０に装着する際には、交差部４５を離間させるためにある程度の力を必要とする一方で、支柱５０に装着した後に、その弾性によって、交差部４５が近接した状態に速やかに復帰するので、養生シート取付金具４０を支柱５０に容易に仮固定することができる。この実施形態の養生シート取付金具４０によっても、上記実施形態の養生シート取付金具１０と略同様の作用効果を奏することになる。
【００２６】
なお、本発明は上記各実施形態に限定されることなく種々の変更が可能である。例えば、支柱装着部から外側に突出する把持用突部を設ける必要は必ずしもなく、また、養生シート取付金具が装着される支柱は、足場を設置するための単管パイプである必要は必ずしもない。さらに、本発明の養生シート取付金具は、養生ネット以外の養生用のシート部材を取り付ける際に用いることもできる。
【００２７】
【発明の効果】
以上詳細に説明したように、本発明の養生シート取付金具によれば、多くの手間を要することなく養生用のシート部材の取り付けや取り外しを容易に行うことができると共に、養生用のシート部材を支柱に強固に取り付けることができ、またメンテナンスも容易で何回でも使用することができる。
【図面の簡単な説明】
【図１】（ａ）は、本発明の一実施形態に係る養生シート取付金具の射視図、（ｂ）は（ａ）をＡ方向から視た側面図である。
【図２】本発明の一実施形態に係る養生シート取付金具を用いた養生用のシート部材の取り付け状況を示す断面図である。
【図３】図２を下方から視た平面図である。
【図４】本発明の他の実施形態に係る養生シート取付金具を用いた養生用のシート部材の取り付け状況を示す断面図である。
【図５】養生用のシート部材の取り付け状況を説明する射視図である。
【符号の説明】
１０，４０  養生シート取付金具
１１，４１  線材
１２  支柱装着部
１３  両端部分の一方
１４  両端部分の他方
１５  交差部
１６，１７  フック部
１８  係止用突部
１９  フック部の基端部分
２０  把持用突部
４２，４３  両端部分
４５  交差部
４６，４７  フック部
５０  支柱
５１  養生ネット（養生用のシート部材）
５２  足場
５３  緊結用の穴
【図１】
0004452393.tif 000002
【図２】
0004452393.tif 000003
【図３】
0004452393.tif 000004
【図４】
0004452393.tif 000005
【図５】
0004452393.tif 000006